(57)【要約】【課題】カード決済取引がなされた場合、その利用状況をカード取引端末装置に表示させることで、より早く確実に利用者に確認可能とする。【解決手段】カードを利用した際の取引履歴をクレジットカードに搭載されたＩＣチップ、もしくは利用端末と通信回線で結ばれたコンピュータのデータベースに蓄積させ、さらにそのコンピュータと通信回線で接続されたカード取引端末装置操作に該カードを挿入し、利用者が操作することで、該カードの取引履歴を現金自動取引装置の操作画面に表示し、利用者に確認させることにより、利用者の利便性を向上させる。【選択図】　図４
2004126834.tif 000002
【特許請求の範囲】
【請求項１】
係員もしくは利用者が操作に基づきカードの取引を行う装置において、利用者が使用したカードの取引履歴を該カードに記録する方式。
【請求項２】
請求項１記載の装置において、利用者が使用したカードの取引履歴を前記装置と通信回線で結ばれたホストコンピュータのデータベースに該カードの取引履歴を記録する方式。
【請求項３】
利用者の操作に基づき現金の入出金や振込みを行うことが可能なカード取引装置において、利用者が挿入したカードの取引履歴を該カードの記録から読み取り表示する方式。
【請求項４】
請求項３記載の現金自動取引装置において、利用者が挿入したカードの取引履歴を前記現金自動取引装置と通信回線で結ばれたホストコンピュータを経由して接続されたサーバのデータベースに記録された該カードの取引履歴を読み取り表示する方式。
【請求項５】
表示内容には、カード利用日時、カード利用場所の取引内容情報が含まれる請求項１または２記載のカード利用状況表示方式。
【請求項６】
カード取引端末装置とカード認証ホストとの間でのネットワークを介したデータ通信を通じて、オンラインによるカード決済取引を可能にしたカード決済取引システムにおいて、
カード認証ホストには、
カード決済取引があった時には、その取引情報をカード内に搭載されたＩＣチップへ送信する手段が設けられている、カード決済取引システム。
【請求項７】
カード取引端末装置とカード認証ホストとの間でのネットワークを介したデータ通信を通じて、オンラインによるカード決済取引を可能にしたカード決済取引システムにおいて、
カード認証ホストには、
カード決済取引があった時には、その取引情報をネットワークを介して予め指定されたサーバのデータベースへ送信する手段が設けられている、カード決済取引システム。
【請求項８】
カードにはクレジットカードが含まれ、カード取引端末装置にはＡＴＭ及び／又はＣＡＴが含まれ、カード認証ホストにはクレジットカード会社のホストが含まれる請求項６乃至７のいずれかに記載されるカード決済システム。
【請求項９】
カード取引端末装置にはＫｉｏｓｋ端末装置が含まれている請求項８記載のカード決済取引システム。
【請求項１０】
ネットワークを介したカード取引端末装置とのデータ交信を通じて、オンラインによるカード決済取引を可能としたカード認証ホストであって、
カード決済取引があった時にはその取引履歴を利用者のクレジットカード内に搭載されたＩＣチップへ取引履歴を送信するためのデータを作成する手段と、
カード毎に予め指定されたサーバのデータベースに取引履歴を送信するためのデータを作成する手段と、
が設けられている、カード認証ホスト。
【請求項１１】
カード取引端末装置とカード認証ホスト間でのネットワークを介したデータ通信を通じてオンラインによるカード決済取引を可能としたカード決済取引システムに、ネットワークを介して接続されるサーバであって、
カード決済取引があった時には、カード認証ホストの側からの要求を受けてそのデータをデータベースに格納する手段と、
各カード取引端末側からの要求を受けてそのデータを前記カード取引端末装置に送信する手段、
が設けられているサーバ。
【請求項１２】
上記請求項の１，３または２，４を併用して行う方式。
【発明の詳細な説明】
【０００１】
【発明の属する技術分野】
本発明はカード決済取引の取引履歴をネットワークを介してカード取引端末装置に表示するようにした取引履歴表示方式で、カードの利用状況を利用者に確認できる表示方式に属する。
【０００２】
【従来の技術】
現在、クレジットカード等によるカード決済取引はＣＡＴやＡＴＭ等のカード取引端末装置を使用したオンライン取引が主流となっている。
【０００３】
これらのカード決済が行われた場合、そのカード取引内容を記載した領収書や利用明細等が発行され。その場でカード利用者に渡される。利用者側ではさらに月毎に郵送される請求書等で各カードの利用状況が確認可能となっている。
【０００４】
【発明が解決しようとする課題】
しかし、領収書や請求書を紛失した場合、利用者はカード発行元に問い合わせるかもしくは請求書を入手する以外に手段はなく、さらに請求書が届くのは月に１回であり数日もしくは数週間を要していた。
【０００５】
本発明は上述の問題点に着目してなされたものであり、その目的とするとこはカード決済取引がなされた場合、その利用状況をカード取引端末装置に表示させることで、より早く確実に利用者に確認可能としたカード利用状況通知方法及び、同方法を使用したカード決済取引システムを提供することにある。
【０００６】
【課題を解決するための手段】
カードを利用した際の取引履歴をクレジットカードに搭載されたＩＣチップ、もしくは利用端末と通信回線で結ばれたコンピュータのデータベースに蓄積させ、さらにそのコンピュータと通信回線で接続されたカード取引端末装置操作に該カードを挿入し、利用者が操作することで、該カードの取引履歴を現金自動取引装置の操作画面に表示し、利用者に確認させることにより、利用者の利便性を向上させる。
【０００７】
ここで「カード」としては、例えばクレジットカード等を挙げる事ができる。他、消費者金融等の発行するキャッシングカード等の各種決済取引用カードの利用に本発明を適用することも可能である。
【０００８】
ここで「カード取引端末装置」としてはクレジットカード取引装置（ＣＡＴ）、現金自動取引装置（ＡＴＭ）、Ｋｉｏｓｋ端末装置等を挙げることができる。
【０００９】
ここで「カード認証ホスト」とあるが、これは例えばクレジットカード会社のホストコンピュータや、銀行のホストコンピュータ等を挙げることができる。尚、ここでは、一つのホストが必ずしも一つの装置のコンピュータを示すとは限らない。ネットワーク上に散在する複数のコンピュータ等を接続することにより当該ホストを実現することも可能である。ここでは、少なくともカード決済取引時のカード認証処理行うことが可能なホストシステムを意味している。従って本発明を複数会社のカード利用に適用する場合には、複数会社のカード認証ホストがネットワークを介して接続されることになる。
【００１０】
【発明の実施の形態】
以下、本発明の実施例に関して図面を参照しながら説明する。尚、この例ではカード決済取引システムを示すことにより、カード利用状況表示方式について同時に説明するものとする。
【００１１】
図１はクレジットカード取引装置の構成及びクレジットカード取引装置が接続される接続構成を示したものである。図示するように本体のクレジットカード取引装置１００、ＩＣカード７００内に搭載されたＩＣチップ７０１に格納されている情報のリード・ライトを行うＩＣカード機構部１０１、利用者が入力と各種情報を表示する操作部兼表示部１０２、ホストと通信を行う伝送制御部１０３、電源部１０４、装置全体のユニットを制御する制御部１０５で構成される。また図示するようにクレジットカード取引装置１００は、伝送制御部１０３を介し、ネットワーク６００を通じてクレジットカード認証ホスト３００と情報処理サーバ４００と接続される。このサーバは記憶装置４０１としてクレジットカードの取引履歴をデータベースに蓄積している。
【００１２】
図２は現金自動取引装置の構成及び現金自動取引装置が接続される接続構成を示したものである。図示するように本体の現金自動取引装置２００、ＩＣカード７００内に搭載されたＩＣチップ７０１に格納されている情報のリード・ライトを行うＩＣカード機構部２０１利用者が入力と各種情報を表示する操作部兼表示部２０２、ホストと通信を行う伝送制御部２０３、電源部２０４、装置全体のユニットを制御する制御部２０５、通帳磁気ストライプのリード・ライト処理を行う通帳印字機構部２０６、紙幣入出金機構部２０７、硬貨入出金機構部２０８、ジャーナル印字機構２０９で構成される。また図示するように現金自動取引装置２００は、伝送制御部２０３を介してネットワーク６００を通じて銀行認証ホスト５００と情報処理サーバ４００と接続される。このサーバは記憶装置４０１としてクレジットカードの取引履歴をデータベースに蓄積している。
【００１３】
実施例の詳細について図４、図５を用いて説明する。
【００１４】
尚、以下に示すカード取引端末装置側の処理は、従来のカード決済取引に行われる処理と同様である。従って、ここではカード取引端末装置としてのＣＡＴ、ＡＴＭにおける処理をフローチャートに基づき同時に説明し、その処理内容については、概略説明に留めるものとする。
【００１５】
図４でクレジットカード取引装置における利用者の操作手順を示す。処理が開始されると、カード取引端末装置では、カード情報、取引内容情報、その他必要情報が読み込まれる（ステップ１）。
【００１６】
ここで、カード情報にはカード番号情報が含まれる。取引内容情報としては、取引種別（商品購入、キャッシング等）、取引決済額、取引商品区分（購入商品種別等）、支払方法（一括、分割等）が挙げられる。その他必要情報として、カード取引端末毎のＩＤ番号、利用者によって入力される暗証番号等が挙げられる。
【００１７】
それら読み込まれた各種情報は、データとして各カード認証ホストへと送信され、これによりカード認証処理要求がなされる（ステップ２）。
【００１８】
クレジットカード取引装置からの認証処理要求に基づき、カード認証ホストでは、クレジットカード取引装置から送信されてくるカード情報、取引内容情報、その他必要情報が順次受信され読み込まれる（ステップ３）。
【００１９】
ついでそれら受信された情報に基づく認証処理が行われる（ステップ４）。
【００２０】
認証が正常に行われなかった場合には、認証要求に対する回答として認証エラーを示す信号がクレジットカード取引装置へと送信され、処理は終了する（ステップ５）。
【００２１】
認証が正常に行われた時には、認証ＯＫを示すのに必要な情報・データがクレジットカード取引端末に送信され、次いで取引内容に応じた各種処理が行われる。ここでいう「各種処理」とは取引内容の所定ファイルへの記録、利用残高の更新処理等が挙げられる（ステップ６）。
【００２２】
次いで認証ホストでは、当該カード決済取引の取引履歴を当該カードに搭載されたＩＣチップもしくはネットワークを通じて接続されたサーバに通知するための所定ファイルが呼び出される。このファイルは、カード認証ホストの各種記憶装置に保存されているファイルである（ステップ７）。
【００２３】
ここで、取引履歴送信要求時には、認証ホストからはカード情報に加え、取引情報（取引日時、使用端末ＩＤ，取引店舗名、処理通番、商品区分、取引種別等の履歴作成に必要な各種情報）が該クレジットカード取引装置もしくはサーバへと送信される。尚、取引情報については、作成する取引履歴の内容に応じて、種々の情報を追加することが可能である（ステップ８）。
【００２４】
クレジットカード取引装置における取引履歴受信のための処理を説明する。クレジットカード取引端末側では認証ホストからの取引履歴送信処理要求を受けて、カード情報、取引情報に該当するデータが認証ホストから受信されて読み込まれる（ステップ９）。
【００２５】
認証ホストからカード情報、取引情報を受信したクレジットカード取引装置は、同装置に挿入されている該カードに搭載されているＩＣチップにカード情報、取引情報を送信する（ステップ１０）。
【００２６】
該クレジットカード取引装置に挿入されているＩＣチップは送信された取引履歴を受信完了すると、その旨のメッセージをクレジットカード取引装置に送信する（ステップ１１）。
【００２７】
ＩＣチップより受信完了メッセージを受取ったクレジットカード取引装置は利用明細と共にカードを返却する（ステップ１２）。
【００２８】
ネットワークを介したサーバにおける取引履歴受信のための処理を説明する。認証ホストでは、該取引履歴送信処理データを、カード情報、取引情報に該当するデータとともにサーバへ送信する（ステップ１３）。
【００２９】
認証ホストからカード情報、取引情報を受信したサーバは、同装置に接続されている記憶装置にカード情報、取引情報を送信する（ステップ１４）。
【００３０】
サーバは該サーバに接続されている記憶装置が送信された取引履歴を受信完了すると、その旨のメッセージを認証ホストに送信する（ステップ１５）。
【００３１】
サーバより受信完了メッセージを受取った認証ホストは取引完了のメッセージを該クレジットカード利用装置へ送信する（ステップ１６）。
【００３２】
認証ホストより受信完了メッセージを受取ったクレジットカード取引装置は利用明細と共にカードを返却する（ステップ１２）。
【００３３】
図５は現金自動取引装置における利用者の操作手順を示す。利用者は、現金自動取引装置で取引履歴表示を選択する（ステップ１）。
【００３４】
表示したい履歴のクレジットカードを挿入し（ステップ２）、暗証番号を入力すると（ステップ３）、現金自動取引装置はクレジットカードのＩＣチップから取引履歴情報を検索し（ステップ４）、読み取る（ステップ５）。
【００３５】
あるいは現金自動取引装置はネットワークを介して接続されている銀行認証ホストへ該カードのカード情報とともに該クレジットカード取引履歴要求のメッセージを送信する（ステップ６）。
【００３６】
メッセージを受信した銀行認証ホストは受信したカード情報を基にネットワークを介して接続されたサーバに取引履歴要求メッセージを送信する（ステップ７）。
【００３７】
銀行認証ホストより受信したメッセージを基にサーバが接続された記憶装置に蓄積されている取引履歴データの中から、該当カードの取引履歴を検索する（ステップ８）。
【００３８】
該当履歴がなかった場合には、履歴要求に対する回答として認証エラーを示すデータが銀行ホストを経由して現金自動取引装置へと送信され、処理は終了する（ステップ９）。
【００３９】
該当履歴があった場合は検索結果を銀行認証ホストに送信する（ステップ１０）。
【００４０】
銀行認証ホストはサーバからの取引履歴を受信すると該現金自動取引装置へ取引履歴送信する（ステップ１１）。
【００４１】
取引履歴を受信した現金自動取引装置は、取引履歴を操作画面に表示する（ステップ１２）。
【００４２】
利用者が操作画面を確認すると（ステップ１３）、カードを利用者に返却する（ステップ１４）。
【００４３】
【発明の効果】
本発明によれば、クレジットカードの利用状況がリアルタイムで把握できることにより、利用者の利便性に寄与することができる。
【図面の簡単な説明】
【図１】クレジットカード取引装置の概観図。
【図２】現金自動取引装置の概観図。
【図３】ＩＣカード概観図。
【図４】本発明を利用したクレジット取引装置の操作フロー。
【図５】本発明を利用した現金自動取引装置の操作フロー。
【符号の説明】
１００…クレジットカード取引装置、１０１…ＩＣカード機構部、１０２…操作部兼表示部、１０３…伝送制御部、１０４…電源部、１０５…制御部、２００…現金自動取引装置、２０１…ＩＣカード機構部、２０２…操作部兼表示部、２０３…伝送制御部、２０４…電源部、２０５…制御部、２０６…通帳印字機構部、２０７…紙幣入出金機構部、２０８…硬貨入出金機構部、２０９…ジャーナル印字機構部、３００…クレジットカード認証ホスト、４００…情報処理サーバ、４０１…記憶装置、５００…銀行認証ホスト、６００…ネットワーク、７００…ＩＣカード、７０１…ＩＣチップ。
【図１】
2004126834.tif 000003
【図２】
2004126834.tif 000004
【図３】
2004126834.tif 000005
【図４】
2004126834.tif 000006
【図５】
2004126834.tif 000007